(57)【要約】【課題】面倒な操作をより少なくして、より確実にバックアップする。【解決手段】オートバックアップ設定情報読み出し部１２２は、第１の音声ファイルと、第１の音声ファイルについてのバックアップの日時を示す情報であるバックアップ日時情報とが記憶されている第１の記憶手段であって、参照できるようになった第１の記憶手段からバックアップ日時情報を読み出す。オートバックアップ設定日時判定部１２４は、バックアップ日時情報で示される日時が現在の日時以前であるか否かを判定する。バックアップ処理部１２５は、バックアップ日時情報で示される日時が現在の日時以前であると判定された場合、第１の記憶手段に記憶されている第１の音声ファイルのバックアップのファイルである第２の音声ファイルを第２の記憶手段に記憶させるように記憶を制御する。本発明は、据置型のオーディオ装置に適用できる。【選択図】図６
2010140532.tif 000002
【特許請求の範囲】
【請求項１】
録音装置と蓄積装置とからなる記憶システムにおいて、
上記録音装置は、
第１の音声ファイルを記憶する第１の記憶手段と、
記憶されている上記第１の音声ファイルについてのバックアップの日時を示す情報であるバックアップ日時情報を上記第１の記憶手段に書き込む書き込み手段と
を有し、
上記蓄積装置は、
参照できるようになった上記第１の記憶手段から上記バックアップ日時情報を読み出す読み出し手段と、
上記バックアップ日時情報で示される日時が現在の日時以前であるか否かを判定する判定手段と、
上記バックアップ日時情報で示される日時が現在の日時以前であると判定された場合、上記第１の記憶手段に記憶されている上記第１の音声ファイルのバックアップのファイルである第２の音声ファイルを第２の記憶手段に記憶させる記憶制御手段と
を有することを特徴とする記憶システム。
【請求項２】
請求項１に記載の記憶システムにおいて、
前記書き込み手段は、前記バックアップ日時情報を前記音声ファイルのタグ情報として前記第１の記憶手段に書き込む
ことを特徴とする記憶システム。
【請求項３】
請求項１に記載の記憶システムにおいて、
前記記憶制御手段は、前記第２の音声ファイルを前記第２の記憶手段に記憶させた後、前記第１の記憶手段から前記第１の音声ファイルを削除する
ことを特徴とする記憶システム。
【請求項４】
請求項１に記載の記憶システムにおいて、
前記蓄積装置は、前記録音装置の前記第１の記憶手段が参照できるようになったことを検出する検出手段をさらに有し、
前記読み出し手段は、前記録音装置の前記第１の記憶手段が参照できるようになったことが検出された場合、前記第１の記憶手段から前記バックアップ日時情報を読み出す
ことを特徴とする記憶システム。
【請求項５】
第１の音声ファイルを記憶する第１の記憶手段を有する録音装置と第２の記憶手段を有する蓄積装置とからなる記憶システムの記憶方法において、
上記録音装置が、
上記第１の記憶手段に記憶されている上記第１の音声ファイルについてのバックアップの日時を示す情報であるバックアップ日時情報を上記第１の記憶手段に書き込み、
上記蓄積装置が、
参照できるようになった上記第１の記憶手段から上記バックアップ日時情報を読み出し、
上記バックアップ日時情報で示される日時が現在の日時以前であるか否かを判定し、
上記バックアップ日時情報で示される日時が現在の日時以前であると判定された場合、上記第１の記憶手段に記憶されている上記第１の音声ファイルのバックアップのファイルである第２の音声ファイルを第２の記憶手段に記憶させる
ことを特徴とする記憶方法。
【請求項６】
音声ファイルを記憶する記憶手段と、
記憶されている上記音声ファイルについてのバックアップの日時を示す情報であるバックアップ日時情報を上記記憶手段に書き込む書き込み手段と
を有することを特徴とする録音装置。
【請求項７】
請求項６に記載の録音装置において、
前記書き込み手段は、前記バックアップ日時情報を前記音声ファイルのタグ情報として前記記憶手段に書き込む
ことを特徴とする録音装置。
【請求項８】
記憶手段を有する録音装置の録音方法において、
音声ファイルの上記記憶手段への記憶を制御する記憶制御ステップと、
記憶されている上記音声ファイルについてのバックアップの日時を示す情報であるバックアップ日時情報を上記記憶手段に書き込む書き込みステップと
を含むことを特徴とする録音方法。
【請求項９】
記憶手段を有する録音装置のコンピュータに、
音声ファイルの上記記憶手段への記憶を制御する記憶制御ステップと、
記憶されている上記音声ファイルについてのバックアップの日時を示す情報であるバックアップ日時情報を上記記憶手段に書き込む書き込みステップと
を含む処理を行わせるプログラム。
【請求項１０】
第１の音声ファイルと、上記第１の音声ファイルについてのバックアップの日時を示す情報であるバックアップ日時情報とが記憶されている第１の記憶手段を参照して上記バックアップ日時情報を読み出す読み出し手段と、
上記バックアップ日時情報で示される日時が現在の日時以前であるか否かを判定する判定手段と、
上記バックアップ日時情報で示される日時が現在の日時以前であると判定された場合、上記第１の記憶手段に記憶されている上記第１の音声ファイルのバックアップのファイルである第２の音声ファイルを第２の記憶手段に記憶させる記憶制御手段と
を有することを特徴とする蓄積装置。
【請求項１１】
請求項１０に記載の蓄積装置において、
前記記憶制御手段は、前記第２の音声ファイルを前記第２の記憶手段に記憶させた後、前記第１の記憶手段から前記第１の音声ファイルを削除する
ことを特徴とする蓄積装置。
【請求項１２】
請求項１０に記載の蓄積装置において、
前記第１の記憶手段が参照できるようになったことを検出する検出手段をさらに有し、
前記読み出し手段は、前記録音装置の前記第１の記憶手段が参照できるようになったことが検出された場合、前記第１の記憶手段から前記バックアップ日時情報を読み出す
ことを特徴とする蓄積装置。
【請求項１３】
第１の音声ファイルと、上記第１の音声ファイルについてのバックアップの日時を示す情報であるバックアップ日時情報とが記憶されている第１の記憶手段を参照して上記バックアップ日時情報を読み出す読み出しステップと、
上記バックアップ日時情報で示される日時が現在の日時以前であるか否かを判定する判定ステップと、
上記バックアップ日時情報で示される日時が現在の日時以前であると判定された場合、上記第１の記憶手段に記憶されている上記第１の音声ファイルのバックアップのファイルである第２の音声ファイルを第２の記憶手段に記憶させる記憶制御ステップと
を含むことを特徴とする蓄積方法。
【請求項１４】
第１の音声ファイルと、上記第１の音声ファイルについてのバックアップの日時を示す情報であるバックアップ日時情報とが記憶されている第１の記憶手段を参照して上記バックアップ日時情報を読み出す読み出しステップと、
上記バックアップ日時情報で示される日時が現在の日時以前であるか否かを判定する判定ステップと、
上記バックアップ日時情報で示される日時が現在の日時以前であると判定された場合、上記第１の記憶手段に記憶されている上記第１の音声ファイルのバックアップのファイルである第２の音声ファイルを第２の記憶手段に記憶させる記憶制御ステップと
を含む処理をコンピュータに行わせるプログラム。
【発明の詳細な説明】
【技術分野】
【０００１】
本発明は記憶システムおよび方法、録音装置および方法、蓄積装置および方法、並びにプログラムに関する。
【背景技術】
【０００２】
デジタルオーディオプレイヤの普及と共に、録音の機能を備えるプレイヤ（レコーダプレイヤ）（録音装置）も普及している。このような録音装置において、録音により生成された音声ファイルは、録音装置に内蔵されているメモリやハードディスクまたはメモリカードスロットに装着されているメモリカード（記憶手段）に記憶される。
【０００３】
一般に、録音装置の記憶容量（ファイルサイズ）はそれほど大きくない場合は、ユーザは定期的に記憶された音声ファイルを他の機器（蓄積装置）にバックアップする必要がある。また、音声ファイルを管理する上でも蓄積装置での管理が録音装置より適していることもある。蓄積装置は、パーソナルコンピュータや大容量のハードディスクドライブやメモリを内蔵した据置型のオーディオ装置などである。録音装置に記憶させた音声ファイルをユーザ自らが蓄積装置にコピーするか、または移動することによりバックアップする。すなわち、バックアップ作業は、蓄積装置に録音装置を接続するか、または録音装置側のメモリカードを蓄積装置のメモリカードスロットに装着し、蓄積装置のユーザインタフェースの操作により、音声ファイルを蓄積装置側に、コピーするかまたは移動させる。
【０００４】
図９は、従来のバックアップの処理を説明するフローチャートである。ステップＳ１０１において、蓄積装置は、録音装置の記憶手段を認識できるか否かを判定し、録音装置の記憶手段を認識できないと判定された場合、録音装置の記憶手段を認識できるか否かの判定の処理を繰り返す。ステップＳ１０１において、録音装置の記憶手段を認識できると判定された場合、手続きはステップＳ１０２に進み、蓄積装置は、バックアップの対象となる音声ファイルを選択する。ステップＳ１０３において、蓄積装置は、選択した音声ファイルを蓄積装置に移動して、バックアップの処理は終了する。
【０００５】
従来は、記録媒体の空き容量が任意に設定した閾値以下になった場合、自装置の使用状況をチェックし、空き時間を抽出し、ムーブ先装置の記録媒体の空き容量や既に記録済みのコンテンツ情報、空き時間を取得し、これらの情報と前記自装置の空き時間を参照して、自装置内の記録済みコンテンツの中からムーブ対象のコンテンツを自動的に選定し、選定したコンテンツを所定の単位でファイル分割し、各ファイルをムーブするスケジュールを生成し、実行するようにしているものもある（例えば、特許文献１参照）。
【０００６】
【特許文献１】特開２００７−１９３８９９号公報
【発明の開示】
【発明が解決しようとする課題】
【０００７】
しかしながら、ユーザがバックアップ作業を定期的に行わない場合、誤って録音装置に記憶されている音声ファイルを消去してしまうことがある。より詳細には、蓄積装置のユーザインタフェースの操作により、音声ファイルを蓄積装置側に、コピーするかまたは移動させる動作には、ユーザの操作が必要であり、さらに、コピーまたは移動しなければならない音声ファイルをユーザが把握し、検索するために、バックアップの不要な音声ファイル（ファイル）をバックアップしてしまったり、まだバックアップしていない音声ファイルに対してバックアップ済みであると思い込み、録音装置側の記憶手段より消去してしまうことがある。
【０００８】
そこで、本発明は、上記課題を解決すること、すなわち、面倒な操作をより少なくして、より確実にバックアップできる記憶システムおよび方法、録音装置および方法、蓄積装置および方法、並びにプログラムを提供することを目的とする。
【課題を解決するための手段】
【０００９】
上記課題を解決するために、本発明の記憶システムの一側面は、録音装置が、第１の音声ファイルを記憶する第１の記憶手段と、記憶されている第１の音声ファイルについてのバックアップの日時を示す情報であるバックアップ日時情報を第１の記憶手段に書き込む書き込み手段とを有し、蓄積装置が、参照できるようになった第１の記憶手段からバックアップ日時情報を読み出す読み出し手段と、バックアップ日時情報で示される日時が現在の日時以前であるか否かを判定する判定手段と、バックアップ日時情報で示される日時が現在の日時以前であると判定された場合、第１の記憶手段に記憶されている第１の音声ファイルのバックアップのファイルである第２の音声ファイルを第２の記憶手段に記憶させる記憶制御手段とを有するものとされている。
【００１０】
また、本発明の記憶システムの一側面は、上述の構成に加えて、書き込み手段が、バックアップ日時情報を音声ファイルのタグ情報として第１の記憶手段に書き込むものとされている。
【００１１】
さらに、本発明の記憶システムの一側面は、上述の構成に加えて、記憶制御手段が、第２の音声ファイルを第２の記憶手段に記憶させた後、第１の記憶手段から第１の音声ファイルを削除するものとされている。
【００１２】
本発明の記憶システムの一側面は、上述の構成に加えて、録音装置の第１の記憶手段が参照できるようになったことを検出する検出手段をさらに有し、読み出し手段が、録音装置の第１の記憶手段が参照できるようになったことが検出された場合、第１の記憶手段からバックアップ日時情報を読み出すものとされている。
【００１３】
また、本発明の記憶方法の一側面は、録音装置が、第１の記憶手段に記憶されている第１の音声ファイルについてのバックアップの日時を示す情報であるバックアップ日時情報を第１の記憶手段に書き込み、蓄積装置が、参照できるようになった第１の記憶手段からバックアップ日時情報を読み出し、バックアップ日時情報で示される日時が現在の日時以前であるか否かを判定し、バックアップ日時情報で示される日時が現在の日時以前であると判定された場合、第１の記憶手段に記憶されている第１の音声ファイルのバックアップのファイルである第２の音声ファイルを第２の記憶手段に記憶させるものとされている。
【００１４】
本発明の録音装置の一側面は、音声ファイルを記憶する記憶手段と、記憶されている音声ファイルについてのバックアップの日時を示す情報であるバックアップ日時情報を記憶手段に書き込む書き込み手段とを有するものとされている。
【００１５】
また、本発明の録音装置の一側面は、上述の構成に加えて、書き込み手段が、バックアップ日時情報を音声ファイルのタグ情報として記憶手段に書き込むものとされている。
【００１６】
また、本発明の録音方法の一側面は、音声ファイルの記憶手段への記憶を制御する記憶制御ステップと、記憶されている音声ファイルについてのバックアップの日時を示す情報であるバックアップ日時情報を記憶手段に書き込む書き込みステップとを含むものとされている。
【００１７】
さらに、本発明のプログラムの一側面は、記憶手段を有する録音装置のコンピュータに、音声ファイルの記憶手段への記憶を制御する記憶制御ステップと、記憶されている音声ファイルについてのバックアップの日時を示す情報であるバックアップ日時情報を記憶手段に書き込む書き込みステップとを含む処理を行わせるものとされている。
【００１８】
本発明の蓄積装置の一側面は、第１の音声ファイルと、第１の音声ファイルについてのバックアップの日時を示す情報であるバックアップ日時情報とが記憶されている第１の記憶手段を参照してバックアップ日時情報を読み出す読み出し手段と、バックアップ日時情報で示される日時が現在の日時以前であるか否かを判定する判定手段と、バックアップ日時情報で示される日時が現在の日時以前であると判定された場合、第１の記憶手段に記憶されている第１の音声ファイルのバックアップのファイルである第２の音声ファイルを第２の記憶手段に記憶させる記憶制御手段とを有するものとされている。
【００１９】
また、本発明の蓄積装置の一側面は、上述の構成に加えて、記憶制御手段が、第２の音声ファイルを第２の記憶手段に記憶させた後、第１の記憶手段から第１の音声ファイルを削除するものとされている。
【００２０】
本発明の蓄積装置の一側面は、上述の構成に加えて、第１の記憶手段が参照できるようになったことを検出する検出手段をさらに有し、読み出し手段が、録音装置の第１の記憶手段が参照できるようになったことが検出された場合、第１の記憶手段からバックアップ日時情報を読み出すものとされている。
【００２１】
また、本発明の蓄積方法の一側面は、第１の音声ファイルと、第１の音声ファイルについてのバックアップの日時を示す情報であるバックアップ日時情報とが記憶されている第１の記憶手段を参照してバックアップ日時情報を読み出す読み出しステップと、バックアップ日時情報で示される日時が現在の日時以前であるか否かを判定する判定ステップと、バックアップ日時情報で示される日時が現在の日時以前であると判定された場合、第１の記憶手段に記憶されている第１の音声ファイルのバックアップのファイルである第２の音声ファイルを第２の記憶手段に記憶させる記憶制御ステップとを含むものとされている。
【００２２】
さらに、本発明のプログラムの一側面は、第１の音声ファイルと、第１の音声ファイルについてのバックアップの日時を示す情報であるバックアップ日時情報とが記憶されている第１の記憶手段を参照してバックアップ日時情報を読み出す読み出しステップと、バックアップ日時情報で示される日時が現在の日時以前であるか否かを判定する判定ステップと、バックアップ日時情報で示される日時が現在の日時以前であると判定された場合、第１の記憶手段に記憶されている第１の音声ファイルのバックアップのファイルである第２の音声ファイルを第２の記憶手段に記憶させる記憶制御ステップとを含む処理をコンピュータに行わせるものとされている。
【発明の効果】
【００２３】
本発明の一側面によれば、面倒な操作をより少なくして、より確実にバックアップできる記憶システムおよび方法、録音装置および方法、蓄積装置および方法、並びにプログラムを提供することができる。
【発明を実施するための最良の形態】
【００２４】
以下、本発明の一実施の形態の計時装置について、図１〜図８を参照しながら説明する。
【００２５】
図１は、記憶システムの構成の例を示す図である。記憶システムは、録音装置１１および蓄積装置１２とからなる。録音装置１１は、例えば、デジタルオーディオプレイヤなどであり、録音の機能を備え、録音するとその音声のデータを格納した音声ファイルを生成する。録音装置１１は、内蔵されているメモリやハードディスクまたはメモリカードスロットに装着されているメモリカードなどの記憶手段に音声ファイルを記憶させる。蓄積装置１２は、例えば、いわゆるミニコンポなどの据置型のオーディオ装置などであり、大容量のハードディスクドライブやメモリを内蔵している。
【００２６】
録音装置１１と蓄積装置１２とが接続されると、録音装置１１に記憶されている音声ファイルが、蓄積装置１２にバックアップされる。なお、録音装置１１に装着されている記憶手段であるメモリカードが、録音装置１１から取り外されて、蓄積装置１２に装着されると、メモリカードに記憶されている音声ファイルが、蓄積装置１２にバックアップされるようにしてもよい。
【００２７】
図２は、録音装置１１の構成の例を示すブロック図である。録音装置１１は、マイクロフォン３１（以下、マイク３１と称する）、外部入力端子３２、セレクタ３３、システムマイクロコンピュータ３４（以下、システムマイコン３４と称する）、ADC（analog to digital converter）３５、エンコーダおよびデコーダであるDSP（digital signal processor）３６、記憶部３７、DAC（digital to analog converter）３８、増幅部３９、出力部４０、操作部４１、表示部４２、および外部インタフェース（I/F（interface））４３（以下、外部I/F４３と称する）からなる。マイク３１は、外部の音声を取得して、取得した音声に応じたアナログの電気信号をセレクタ３３に供給する。外部入力端子３２は、外部の機器や外付けのマイクロフォンなどが接続され、接続された機器またはマイクロフォンなどから供給されるアナログの信号を取得する。外部入力端子３２は、取得した信号をセレクタ３３に供給する。セレクタ３３は、システムマイコン３４による制御に応じて、マイク３１から供給された信号または外部入力端子３２から供給された信号のいずれか一方を選択して、選択した信号をADC３５に供給する。システムマイコン３４は、例えば、いわゆる組込型のマイクロコンピュータであり、内蔵されているROM（read only memory）またはRAM（random access memory）に格納されているプログラムを実行することにより、録音装置１１全体を制御する。ADC３５は、所定のIC（integrated circuit）などからなり、セレクタ３３を介して供給された、アナログの信号をデジタルの信号に変換して、変換により得られたデジタルの信号をDSP３６に供給する。
【００２８】
DSP３６は、所定のICなどからなり、システムマイコン３４による制御に応じて、ADC３５から供給されたデジタルの信号を、MP3（MPEG（moving picture experts group） audio layer-3）方式など、所定の符号化方式で符号化する。DSP３６は、符号化により得られた信号を音声データとして記憶部３７に供給する。記憶部３７は、読み書き可能な大容量の記憶デバイス、すなわち、不揮発性のメモリやハードディスクドライブなどであり、システムマイコン３４による制御に応じて、DSP３６から供給された音声データを所定の音声ファイルとして記憶する。なお、記憶部３７は、メモリカードスロットとメモリカードスロットに装着されるメモリカードとから構成するようにしてもよい。
【００２９】
記憶部３７は、システムマイコン３４による制御に応じて、記憶している音声ファイルを読み出して、音声ファイルをDSP３６に供給する。DSP３６は、システムマイコン３４による制御に応じて、音声ファイルとして格納されている音声データを復号して、復号された音声データをDAC３８に供給する。DAC３８は、DSP３６から供給されたデジタルの音声データを、アナログの音声の信号に変換する。DAC３８は、変換により得られた、アナログの音声の信号を増幅部３９に供給する。増幅部３９は、いわゆるオペアンプや専用のICなどからなり、DAC３８から供給された音声の信号を所定の増幅率で増幅し、増幅された音声信号を出力部４０に供給する。出力部４０は、いわゆる、外部出力、スピーカ出力、またはヘッドフォン出力の出力端子であり、接続されている外部の機器やスピーカ、またはヘッドフォンに増幅された音声信号を供給することで、外部の機器に音声信号を伝送するか、またはスピーカ若しくはヘッドフォンを駆動する。
【００３０】
操作部４１は、スイッチやダイヤルなどからなり、ユーザによる操作に応じた信号をシステムマイコン３４に供給する。表示部４２は、蛍光表示管、液晶表示装置、EL（electro luminescence）表示装置、またはLED（light emitting diode）表示装置などからなり、システムマイコン３４による制御に応じて、文字や画像などを表示する。外部I/F４３は、USB（universal serial bus）などの規格に準拠したインタフェースなど、外部の他の機器と接続するための接続インタフェースである。外部I/F４３は、システムマイコン３４による制御に応じて、接続されている外部の機器からデータを取得して、記憶部３７に供給するか、または記憶部３７から音声ファイルを取得して、接続されている外部の機器に音声ファイルを供給する。
【００３１】
図３は、蓄積装置１２の構成の例を示すブロック図である。蓄積装置１２は、チューナ３１、外部入力端子６２、セレクタ６３、システムマイクロコンピュータ６４（以下、システムマイコン６４と称する）、ADC６５、エンコーダおよびデコーダであるDSP６６、記憶部６７、DAC６８、増幅部６９、出力部７０、操作部７１、表示部７２、外部インタフェース（I/F（interface））７３（以下、外部I/F７３と称する）、およびCD（Compact Disc）メカ部７４からなる。チューナ６１は、接続されているアンテナ（図示せず）から供給される信号であって、受信したラジオ放送の電波に応じた信号を取得して、取得した信号を復調する。チューナ６１は、復調により得られたアナログの電気信号であって、ラジオ放送の音声の電気信号をセレクタ６３に供給する。外部入力端子６２は、外部の機器や外付けのマイクロフォンなどが接続され、接続された機器またはマイクロフォンなどから供給されるアナログの信号を取得する。外部入力端子６２は、取得した信号をセレクタ６３に供給する。セレクタ６３は、システムマイコン６４による制御に応じて、チューナ６１から供給された信号または外部入力端子６２から供給された信号のいずれか一方を選択して、選択した信号をADC６５に供給する。システムマイコン６４は、例えば、いわゆる組込型のマイクロコンピュータであり、内蔵されているROMまたはRAMに格納されているプログラムを実行することにより、蓄積装置１２全体を制御する。ADC６５は、所定のICなどからなり、セレクタ６３を介して供給された、アナログの信号をデジタルの信号に変換して、変換により得られたデジタルの信号をDSP６６に供給する。
【００３２】
DSP６６は、所定のICなどからなり、システムマイコン６４による制御に応じて、ADC６５から供給されたデジタルの信号を、MP3方式など、所定の符号化方式で符号化する。DSP６６は、符号化により得られた信号を音声データとして記憶部６７に供給する。記憶部６７は、読み書き可能な大容量の記憶デバイス、すなわち、不揮発性のメモリやハードディスクドライブなどであり、システムマイコン６４による制御に応じて、DSP６６から供給された音声データを所定の音声ファイルとして記憶する。なお、記憶部６７は、メモリカードスロットとメモリカードスロットに装着されるメモリカードとから構成するようにしてもよい。
【００３３】
記憶部６７は、システムマイコン６４による制御に応じて、記憶している音声ファイルを読み出して、音声ファイルをDSP６６に供給する。DSP６６は、システムマイコン６４による制御に応じて、音声ファイルとして格納されている音声データを復号して、復号された音声データをDAC６８に供給する。DAC６８は、DSP６６から供給されたデジタルの音声データを、アナログの音声の信号に変換する。DAC６８は、変換により得られた、アナログの音声の信号を増幅部６９に供給する。増幅部６９は、いわゆるオペアンプや専用のICなどからなり、DAC６８から供給された音声の信号を所定の増幅率で増幅し、増幅された音声信号を出力部７０に供給する。出力部７０は、いわゆる、外部出力、スピーカ出力、またはヘッドフォン出力の出力端子であり、接続されている外部の機器やスピーカ、またはヘッドフォンに増幅された音声信号を供給することで、外部の機器に音声信号を伝送するか、またはスピーカ若しくはヘッドフォンを駆動する。
【００３４】
操作部７１は、スイッチやダイヤル、またはリモートコントローラなどからなり、ユーザによる操作に応じた信号をシステムマイコン６４に供給する。表示部７２は、蛍光表示管、液晶表示装置、EL表示装置、またはLED表示装置などからなり、システムマイコン６４による制御に応じて、文字や画像などを表示する。外部I/F７３は、USBなどの規格に準拠したインタフェースなど、外部の他の機器と接続するための接続インタフェースである。外部I/F７３は、システムマイコン６４による制御に応じて、接続されている外部の機器からデータを取得して、記憶部６７に供給するか、または記憶部６７から音声ファイルを取得して、接続されている外部の機器に音声ファイルを供給する。CDメカ部７４は、いわゆるCDドライブであり、システムマイコン６４による制御に応じて、装着されているCDを駆動して、CDに記録されている音声のデータを読み出し、読み出した音声のデータをDSP６６に供給する。
【００３５】
図４は、録音装置１１のシステムマイコン３４がプログラムを実行することにより実現される機能の構成の例を示すブロック図である。システムマイコン３４がプログラムを実行することにより、録音制御部１０１、オートバックアップ実行設定部１０２、オートバックアップ日時情報書き込み部１０３、および時計部１０４が実現される。録音制御部１０１は、セレクタ３３、DPS３６、および記憶部３７を制御することにより、録音を制御する。すなわち、録音制御部１０１は、セレクタ３３に、マイク３１から供給された信号または外部入力端子３２から供給された信号のいずれか一方を選択させ、DSP３６に、選択された信号がADC３５において変換されたデジタルの信号を、所定の符号化方式で符号化させる。そして、録音制御部１０１は、記憶部３７に、DSP３６から供給された音声データを所定の音声ファイルに格納させて記憶させる。
【００３６】
オートバックアップ実行設定部１０２は、オートバックアップを実行するか否かを設定する。オートバックアップとは、録音装置１１と蓄積装置１２とが接続されると、録音装置１１の記憶部３７に記憶されている音声ファイルが、蓄積装置１２の記憶部６７にコピーされるか若しくは移動される、または録音装置１１に装着されているメモリカードである記憶部３７が、録音装置１１から取り外されて、蓄積装置１２に装着されると、記憶部３７に記憶されている音声ファイルが、蓄積装置１２の記憶部６７にコピーされるか若しくは移動されることをいう。例えば、オートバックアップ実行設定部１０２は、記憶部３７に、オートバックアップを実行するか否かを示すデータを記憶させることにより、オートバックアップを実行するか否かを設定する。
【００３７】
オートバックアップ日時情報書き込み部１０３は、記憶部３７に記憶されている音声ファイルについてのバックアップの日時を示す情報であるバックアップ日時情報を記憶部３７に書き込む。例えば、オートバックアップ日時情報書き込み部１０３は、MP3方式で符号化されている音声データを格納する、いわゆるMP3ファイルである音声ファイルにバックアップ日時情報を書き込む。より具体的には、例えば、オートバックアップ日時情報書き込み部１０３は、音声ファイルのヘッダに設けられている、実演者名、作成年、または曲名などの情報を書き込むための規格であるID3タグに準拠したデータ（以下、ID3タグデータ）にバックアップ日時情報を書き込む。
【００３８】
図５は、ID3v2.3であるバージョンのID3タグの構成を示す図である。ID3タグは、ID3v2ヘッダおよび拡張ヘッダなどからなる。ID3v2ヘッダには、先頭に、３バイトの文字列である、"ID3"の識別文字が配置され、識別文字の次に、１バイトの数字である、ID3のバージョンが配置され、ID3のバージョンの次に、１バイトの数字である、ID3のマイナーバージョンが配置され、ID3のマイナーバージョンの次に、データ型がビットである１バイトのID3v2フラグが配置され、ID3v2フラグの次に、４バイトの数字である、ID3v2サイズが配置される。また、ID3タグの拡張ヘッダには、先頭に、４バイトの文字列である、フレームIDが配置される。フレームIDの先頭の１バイトが”Ｔ”である場合、拡張ヘッダに格納されているデータはテキスト情報である。
【００３９】
"APIC"であるフレームIDは、拡張ヘッダに格納されているデータが、mp3に埋め込まれる画像であることを示し、"COMM"であるフレームIDは、拡張ヘッダに格納されているデータが、コメントであることを示し、"LINK"であるフレームIDは、拡張ヘッダに格納されているデータが、リンク情報であることを示す。また、"MCDI"であるフレームIDは、拡張ヘッダに格納されているデータが、音楽CD識別子であることを示し、"TALB"であるフレームIDは、拡張ヘッダに格納されているデータが、アルバムのタイトルであることを示し、"TCON"であるフレームIDは、拡張ヘッダに格納されているデータが、ジャンルであることを示し、"TIT2"であるフレームIDは、拡張ヘッダに格納されているデータが、タイトルであることを示し、"TI3"であるフレームIDは、拡張ヘッダに格納されているデータが、サブタイトルであることを示し、"TLEN"であるフレームIDは、拡張ヘッダに格納されているデータが、曲の長さであることを示し、"TPE1"であるフレームIDは、拡張ヘッダに格納されているデータが、アーティスト名であることを示す。
【００４０】
ID3タグの拡張ヘッダには、フレームIDの次に、４バイトの数値の、サイズが配置され、サイズの次に、データ型がビットである２バイトのフラグが配置され、フラグの次に、１バイトの数値である、１または２の文字コードが配置される。１である文字コードは、Unicodeであることを示し、２である文字コードは、ISO-8859-1であることを示す。また、ID3タグの拡張ヘッダには、文字コードの次に、任意のバイト数の文字列である値が配置される。
【００４１】
すなわち、例えば、オートバックアップ日時情報書き込み部１０３は、ID3タグの拡張ヘッダのフレームIDを"COMM"とし、その拡張ヘッダの値に、バックアップの日時を示す情報であるバックアップ日時情報を書き込む。この場合、バックアップ日時情報は、他の日時を示す情報と区別するために、例えば、”AUTO_BACKUP_20080901”など、年月日と特定の文字を組み合わせて表すようにしてもよい。
【００４２】
なお、バックアップ日時情報は、必ずしも、フレームIDを"COMM"とした拡張ヘッダに書き込まれるものではなく、タグ情報領域のいずれに書き込まれるようにしてもよい。
【００４３】
また、例えば、オートバックアップ日時情報書き込み部１０３は、音声ファイルのファイル名として、バックアップ日時情報を書き込む。
【００４４】
図４に戻り、時計部１０４は、システムマイコン３４の動作の基準となるクロック信号を周分して、時間を計り、現在時刻を示すデータを提供する。
【００４５】
図６は、蓄積装置１２のシステムマイコン６４がプログラムを実行することにより実現される機能の構成の例を示すブロック図である。蓄積装置１２のシステムマイコン６４がプログラムを実行することにより、録音装置接続制御部１２１、オートバックアップ設定情報読み出し部１２２、オートバックアップ実行設定判定部１２３、オートバックアップ設定日時判定部１２４、バックアップ処理部１２５、および時計部１２６が実現される。録音装置接続制御部１２１は、録音装置１１のドライバなどの実行により、外部I/F７３を制御することで、外部I/F７３と外部I/F４３とが所定のケーブルで電気的に接続された録音装置１１との接続および通信を制御する。また、録音装置接続制御部１２１は、録音装置１１の記憶部３７が参照できるようになったことを検出する。
【００４６】
なお、録音装置１１に装着されているメモリカードである記憶部３７が、録音装置１１から取り外されて、蓄積装置１２のメモリスロットである外部I/F７３に装着された場合、録音装置接続制御部１２１は、外部I/F７３を制御することで、外部I/F７３に装着された記憶部３７との接続を制御する。この場合、録音装置接続制御部１２１は、記憶部３７が参照できるようになったことを検出する。
【００４７】
オートバックアップ設定情報読み出し部１２２は、参照できるようになった録音装置１１の記憶部３７からバックアップ日時情報を読み出す。また、オートバックアップ設定情報読み出し部１２２は、記憶部３７から、オートバックアップを実行するか否かを示すデータを読み出す。オートバックアップ実行設定判定部１２３は、バックアップ日時情報で示される日時が、時計部１２６から供給されるデータで示される現在の日時以前であるか否かを判定する。バックアップ処理部１２５は、バックアップ日時情報で示される日時が現在の日時以前であると判定された場合、記憶部３７に記憶されている音声ファイルのバックアップのファイルである音声ファイルを記憶部６７に記憶させるように記憶を制御する。時計部１２６は、システムマイコン６４の動作の基準となるクロック信号を周分して、時間を計り、現在時刻を示すデータを提供する。
【００４８】
次に、ユーザが操作部４１の録音開始ボタンを押圧することにより実行される、録音装置１１による録音の処理について説明する。
【００４９】
図７は、録音の処理を説明するフローチャートである。ステップＳ１１において、オートバックアップ実行設定部１０２は、記憶部３７からオートバックアップを実行するか否かを示すデータを読み出して、このデータを参照して、オートバックアップが設定されているか否かを判定する。なお、録音の処理を実行する前に、オートバックアップ実行設定部１０２は、ユーザによる操作部４１への操作に応じた、オートバックアップを実行するか否かを示すデータを記憶部３７に予め記憶させる。この場合、オートバックアップを実行するか否かの設定と共に、表示部４２にプルダウンメニューを表示させて、「３日」、「５日」、「１０日」などの録音してからバックアップするまでの期間を選択して、設定する（期間を示すデータを記憶部３７に記憶させる）ようにしてもよく、また、ユーザが操作部４１を操作して、数値を選択し、日や時間を選択するなど、よりきめ細かい設定ができるようにしてもよい。さらにまた、オートバックアップを実行するか否かの設定と共に、オートバックアップとして、音声ファイルをコピーするか、または音声ファイルを移動するかを設定するようにしてもよい。
【００５０】
ステップＳ１１において、オートバックアップが設定されていると判定された場合、手続きはステップＳ１２に進み、録音制御部１０１は、セレクタ３３、DPS３６、および記憶部３７を制御し、録音が開始される。ユーザが操作部４１の停止ボタンを押圧すると、ステップＳ１３において、録音制御部１０１は、セレクタ３３、DPS３６、および記憶部３７を制御し、録音が停止される。ステップＳ１２乃至ステップＳ１３の間に実行された録音により、その間にマイク３１で取得された音声に応じた音声データを格納する音声ファイルが生成される。
【００５１】
ステップＳ１４において、オートバックアップ日時情報書き込み部１０３は、音声ファイルについてのバックアップの日時を示す情報であるバックアップ日時情報を書き込む。例えば、オートバックアップ日時情報書き込み部１０３は、ID3タグの拡張ヘッダのフレームIDを"COMM"とし、その拡張ヘッダの値に、バックアップの日時を示す情報であるバックアップ日時情報を書き込む。録音してからバックアップするまでの期間が設定されている場合、オートバックアップ日時情報書き込み部１０３は、時計部１０４から現在時刻を示すデータを取得して、録音してからバックアップするまでの期間を現在の日時に加算することでバックアップの日時を求めて、求めた日時を示すバックアップ日時情報を書き込む。
【００５２】
また、例えば、オートバックアップ日時情報書き込み部１０３は、バックアップの日時を示すように、音声ファイルのファイル名を変更することで、バックアップ日時情報を書き込む。より詳しく説明すると、音声ファイルのファイル名が生成された日時を示すものである場合、オートバックアップ日時情報書き込み部１０３は、生成された日時を示すファイル名に、さらにバックアップの日時を示す文字列を加えるように音声ファイルのファイル名を変更する。例えば、2008年12月25日22時36分56秒に生成された音声ファイルのファイル名が、20081225223656.WMAである場合、バックアップするまでの期間として３日間が設定されているとき、オートバックアップ日時情報書き込み部１０３は、2008年12月28日以降にバックアップすることを示すように、音声ファイルのファイル名を20081225223656_ABU20081228.WMAに変更する。
【００５３】
ステップＳ１５において、録音制御部１０４は、音声ファイルを記憶部３７に保存して（記憶させて）、録音の処理は終了する。
【００５４】
一方、ステップＳ１１において、オートバックアップが設定されていないと判定された場合、手続きはステップＳ１６に進み、録音制御部１０１は、セレクタ３３、DPS３６、および記憶部３７を制御し、録音が開始される。ユーザが操作部４１の停止ボタンを押圧すると、ステップＳ１７において、録音制御部１０１は、セレクタ３３、DPS３６、および記憶部３７を制御し、録音が停止され、手続きはステップＳ１５に進み、バックアップ日時情報が書き込まれることなく、音声ファイルが記憶部３７に記憶される。
【００５５】
次に、蓄積装置１２によるバックアップの処理について説明する。図８は、バックアップの処理を説明するフローチャートである。ステップＳ３１において、録音装置接続制御部１２１は、外部I/F７３から供給される信号を参照して、外部I/F７３に録音装置１１が接続されたか否かを判定する。すなわち、ステップＳ３１において、録音装置接続制御部１２１は、外部I/F７３に録音装置１１の外部I/F４３が接続されるか、または録音装置１１に装着されているメモリカードである記憶部３７が、録音装置１１から取り外されて、蓄積装置１２に装着されると外部I/F７３から供給される信号を参照して、録音装置１１の記憶部３７が参照できるようになったことを検出する。録音装置接続制御部１２１は、記憶部３７が参照できるようになったことの検出の結果から、外部I/F７３に録音装置１１が接続されたか否かを判定する。ステップＳ３１において、外部I/F７３に録音装置１１が接続されていないと判定された場合、外部I/F７３に録音装置１１が接続されるまで、判定の処理が繰り返される。ステップＳ３１において、外部I/F７３に録音装置１１が接続されたと判定された場合、手続きはステップＳ３２に進み、オートバックアップ設定情報読み出し部１２２は、記憶部３７から、オートバックアップ実行設定部１０２により記憶させられた、オートバックアップを実行するか否かを示すデータ、すなわち、オートバックアップの設定のデータと、バックアップの日時を示すバックアップ日時情報とを読み出す。より具体的には、オートバックアップ設定情報読み出し部１２２は、ID3タグデータから、バックアップ日時情報を読み出すか、バックアップ日時情報としての音声ファイルのファイル名を読み出す。
【００５６】
ステップＳ３３において、オートバックアップ実行設定判定部１２３は、オートバックアップの設定のデータを参照して、オートバックアップがＯＮであるか否かを判定する。ステップＳ３３において、オートバックアップの設定のデータが、オートバックアップを実行することを示し、オートバックアップがＯＮであると判定された場合、手続きはステップＳ３４に進み、オートバックアップ設定日時判定部１２４は、録音装置１１の記憶部３７にオートバックアップ設定された音声ファイルがあるか否かを判定する。ステップＳ３４において、録音装置１１の記憶部３７にオートバックアップ設定された音声ファイルがあると判定された場合、すなわち、例えば、ID3タグデータにバックアップ日時情報が書き込まれた音声ファイルが存在するか、そのファイル名がバックアップ日時情報とされている音声ファイルが存在する場合、手続きはステップＳ３５に進み、オートバックアップ設定日時判定部１２４は、時計部１２６から現在の日時を示すデータを取得して、現在の日時とバックアップ日時情報で示されるバックアップの日時とを比較することにより、オートバックアップ設定時が現在以前であるか否かを判定する。
【００５７】
ステップＳ３５において、オートバックアップ設定時が現在以前であると判定された場合、バックアップ処理部１２５は、記憶部３７に記憶されている音声ファイルをバックアップする。すなわち、バックアップ処理部１２５は、記憶部３７に記憶されている音声ファイルを、記憶部６７にコピーすることにより、記憶部３７に記憶されている音声ファイルと同様の音声ファイルを記憶部６７に記憶させる。
【００５８】
例えば、バックアップ日時情報がファイル名に追記されている音声ファイルが記憶部３７に記憶されている場合、音声ファイルのファイル名が20081225223656_ABU20081228.WMAである場合、バックアップ処理部１２５は、20081225223656_ABU20081228.WMAであるファイル名から"_ABU20081228"を削除して、記憶部６７に記憶させる音声ファイルのファイル名を、20081225223656.WMAとする。
【００５９】
ステップＳ３７において、バックアップ処理部１２５は、記憶部３７から音声ファイルを削除して、バックアップの処理は終了する。なお、オートバックアップとして、音声ファイルをコピーすることが設定されている場合には、記憶部３７から音声ファイルは削除されない。
【００６０】
ステップＳ３３において、オートバックアップがＯＮでないと判定された場合、バックアップ処理部１２５は、ユーザの操作部７１への操作に応じた信号に基づいて、記憶部３７に記憶されている音声ファイルを手動でバックアップして、バックアップの処理は終了する。また、ステップＳ３４において、録音装置１１の記憶部３７にオートバックアップ設定された音声ファイルがないと判定された場合、または、ステップＳ３５において、オートバックアップ設定時が現在以前でないと判定された場合、バックアップをする必要はないので、バックアップの処理は終了する。
【００６１】
このように、録音装置１１を蓄積装置１２に接続すると、音声ファイルが自動的にバックアップされるので、誤って音声ファイルを消してしまう可能性が低くなる。定期的に音声ファイルの移動を行えば、録音装置１１の記憶部３７の空き容量が少なくなることを防止することができる。
【００６２】
以上のように、面倒な操作をより少なくして、より確実にバックアップできるようになる。
【００６３】
なお、蓄積装置１２は、据置型のオーディオ装置などであると説明したが、これに限らず、パーソナルコンピュータやPDA（personal digital assistant）、ストレージ装置、サーバなどであっても良い。
【００６４】
また、バックアップが行われるタイミングをユーザが指定するかまたは入力すると説明したが、これに限らず、音声ファイルに自動的に予め定めた期間後の日時を示すバックアップ日時情報が書き込まれるようにしてもよい。例えば、オートバックアップを実行することを示すデータが記憶部３７に記憶されると、音声ファイルに、音声ファイルが生成された日付の３日後の日を示すバックアップ日時情報が書き込まれるようにしてもよい。
【００６５】
なお、音声ファイルをバックアップすると説明したが、音声ファイルに限らず、画像のデータや数値のデータなど有用なデータを格納するファイルをバックアップするようにしてもよい。
【００６６】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【００６７】
コンピュータ（システムマイコン３４またはシステムマイコン６４）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディアに記録して、あるいは、ローカルエリアネットワーク、インターネット、デジタル衛星放送といった、有線または無線の伝送媒体を介して提供される。
【００６８】
そして、プログラムは、リムーバブルメディアをドライブ（例えば、CDメカ部７４など）に装着することにより、システムマイコン３４のROM若しくはRAMまたはシステムマイコン６４のROM若しくはRAMに記憶することで、コンピュータ（システムマイコン３４またはシステムマイコン６４）にインストールすることができる。また、プログラムは、システムマイコン３４のROM若しくはRAMまたはシステムマイコン６４のROM若しくはRAMにあらかじめ記憶しておくことで、コンピュータ（システムマイコン３４またはシステムマイコン６４）にあらかじめインストールしておくことができる。
【００６９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００７０】
また、本発明の実施の形態は、上述した実施の形態に限定されるものではなく、本発明の要旨を逸脱しない範囲において種々の変更が可能である。
【図面の簡単な説明】
【００７１】
【図１】記憶システムの構成の例を示す図である。
【図２】録音装置１１の構成の例を示すブロック図である。
【図３】蓄積装置１２の構成の例を示すブロック図である。
【図４】録音装置１１における機能の構成の例を示すブロック図である。
【図５】ID3タグの構成を示す図である。
【図６】蓄積装置１２における機能の構成の例を示すブロック図である。
【図７】録音の処理を説明するフローチャートである。
【図８】バックアップの処理を説明するフローチャートである。
【図９】従来のバックアップの処理を説明するフローチャートである。
【符号の説明】
【００７２】
１１…録音装置、１２…蓄積装置、３４…システムマイコン、３７…記憶部、４３…外部I/F、６４…システムマイコン、６７…記憶部、７３…外部I/F、１０１…録音制御部、１０２…オートバックアップ実行設定部、１０３…オートバックアップ日時情報書き込み部、１０４…時計部、１２１…録音装置接続制御部、１２２…オートバックアップ設定情報読み出し部、１２３…オートバックアップ実行設定判定部、１２４…オートバックアップ設定日時判定部、１２５…バックアップ処理部、１２６…時計部
【図１】
2010140532.tif 000003
【図２】
2010140532.tif 000004
【図３】
2010140532.tif 000005
【図４】
2010140532.tif 000006
【図５】
2010140532.tif 000007
【図６】
2010140532.tif 000008
【図７】
2010140532.tif 000009
【図８】
2010140532.tif 000010
【図９】
2010140532.tif 000011